(57)【要約】【課題】  部品組立後の工程で零相変流器の検出誤差を正確に補正し、製品毎のトラッキング判定レベルのばらつきを簡単に解消する。【解決手段】  このトラッキングブレーカ１は、電路３に流れる漏洩電流を検出する零相変流器５と、零相変流器５の出力に基づいてトラッキング現象を判定する判定回路６と、判定回路６の出力に従って電路３を遮断するトリップコイル７と、プラグに発生する火花放電を検知するセンサ８とを備えている。ＲＯＭ１２に零相変流器５の出力特性に関する計測値と基準値との相関情報を記憶する。ＣＰＵ１１はＲＯＭ１２に記憶された相関情報を用いて、零相変流器５の出力電圧を補正するとともに、補正された出力電圧に基づいてトラッキング現象を判定する。【選択図】        図１
2007317429.tif 000002
【特許請求の範囲】
【請求項１】
電路に流れる漏洩電流を検出する零相変流器と、零相変流器の出力に基づいてトラッキング現象を判定する判定手段と、判定手段の出力に従って電路を遮断する遮断手段とを備えたブレーカにおいて、零相変流器の出力特性に関する計測値と基準値との相関情報を記憶する記憶手段と、該相関情報を用いて零相変流器の出力を補正する補正手段とを設けたことを特徴とするトラッキングブレーカ。
【発明の詳細な説明】
【技術分野】
【０００１】
本発明は、トラッキング現象を検出して電路を遮断する機能を備えたトラッキングブレーカに関する。
【背景技術】
【０００２】
従来のトラッキングブレーカとして、例えば、特許文献１に記載された電源コンセント型のブレーカが知られている。このブレーカ５１は、図４に示すように、電気機器のプラグを交流電源２の電路３に接続する受刃４と、電路３に流れる漏洩電流を検出する零相変流器５と、零相変流器５の出力に基づいて漏電を判定する判定回路５６と、判定回路５６の出力に従って電路３を遮断するトリップコイル７と、プラグに発生する火花放電を検知するセンサ８とを備えている。
【０００３】
センサ８は金属片等の導電部材で形成され、一対の受刃４の間に配設されている。センサ８の出力線９は零相変流器５を貫通し、電路３の一方に接続されている。そして、プラグに発生した火花放電がセンサ８に接触すると、微小電流がセンサ８に発生し、抵抗１０を介して出力線９に流れ、この微小電流を零相変流器５が検出し、判定回路５６がトラッキング現象を判定し、トリップコイル７が電路３を遮断するように構成されている。
【特許文献１】特開２００６−０４８９５８号公報
【発明の開示】
【発明が解決しようとする課題】
【０００４】
ところで、この種のブレーカ５１では、零相変流器５の出力特性、抵抗１０の誤差、判定回路５６のオフセット誤差等によって、トラッキング現象の判定レベルが製品毎にばらつきやすい。特に、零相変流器５の出力特性は、貫通電流が小さくなるほど理想値と実測値との誤差比率が大きくなる傾向にあるため、狭い範囲の微小電流を検出してトラッキング現象を判定するブレーカ５１の場合、零相変流器５の検出誤差が判定レベルを大きく左右する。
【０００５】
そこで、従来は、零相変流器５、抵抗１０、判定回路５６等の特性値を部品組立前の工程で入念に検査し、トラッキング判定レベルが規定値となるように、各部品を適宜取り合わせて組み立てることにより、トラッキングブレーカ５１を製作していた。しかし、この製法によると、部品管理にたいへん手間がかかり、ブレーカ５１の生産性が低下するという問題点があった。
【０００６】
本発明の目的は、上記課題を解決し、部品組立後の工程で零相変流器の検出誤差を正確に補正して、判定レベルのばらつきを簡単に解消できるトラッキングブレーカを提供することにある。
【課題を解決するための手段】
【０００７】
上記の課題を解決するために、本発明のトラッキングブレーカは、電路に流れる漏洩電流を検出する零相変流器と、零相変流器の出力に基づいてトラッキング現象を判定する判定手段と、判定手段の出力に従って電路を遮断する遮断手段とを備えたブレーカにおいて、零相変流器の出力特性に関する計測値と基準値との相関情報を記憶する記憶手段と、該相関情報を用いて零相変流器の出力を補正する補正手段とを設けたことを特徴とする。
【０００８】
ここで、記憶手段としては、以下の手段を例示できる。
（１）計測値と基準値との関係式を記憶する手段。
（２）それぞれ異なる相関情報を記憶する複数の記憶部と、製品の実測値に合った記憶部を選択する選択部とを備えた手段。
（３）計測値と基準値との関数を記憶する手段。
（４）計測値と基準値との相関テーブルを記憶する手段。
【発明の効果】
【０００９】
本発明のトラッキングブレーカによれば、部品組立後の工程で零相変流器の出力特性を計測し、その計測値と基準値との相関情報を記憶手段に記憶する。ブレーカの使用時には、補正手段が記憶手段の相関情報を用いて零相変流器の出力を補正するので、判定手段は補正された出力に基づいてトラッキング現象を正確に判定できる。また、零相変流器の検出誤差を部品組立後の工程で正確に補正できて、判定レベルにばらつきのないブレーカ製品を能率よく製作することができる。
【発明を実施するための最良の形態】
【００１０】
以下、本発明を電源コンセント型のトラッキングブレーカに具体化した一実施形態を図面に基づいて説明する。図１に示すように、このトラッキングブレーカ１は、従来と同様、電気機器のプラグを交流電源２の電路３に接続する受刃４と、電路３に流れる漏洩電流を検出する零相変流器５と、零相変流器５の出力に基づいて漏電を判定する判定回路６と、判定回路６の出力に従って電路３を遮断するトリップコイル７とを備え、比較的大きな漏洩電流を検出して電路３を遮断できるように構成されている。
【００１１】
また、金属片からなるセンサ８が一対の受刃４の間に配設され、センサ８の出力線９が零相変流器５を貫通して電路３の一方に接続されている。そして、プラグに発生した火花放電がセンサ８に接触すると、微小電流がセンサ８に発生し、抵抗１０を介して出力線９に流れ、この微小電流を零相変流器５が検出し、判定回路６がトラッキング現象を判定し、トリップコイル７が電路３を遮断する。従って、トラッキング初期の放電現象を検知し、トラッキング短絡の発生を未然に防止することができる。
【００１２】
この実施形態のトラッキングブレーカ１では、判定回路６にＣＰＵ１１とＲＯＭ１２とを備えたマイクロプロセッサが用いられている。ＣＰＵ１１はトラッキング現象を判定する機能に加え、零相変流器５の出力電圧を補正する機能を備えている。ＲＯＭ１２には、零相変流器５の出力電圧特性に関する計測値と基準値との相関情報が記憶されている。この相関情報は、図２に示すように、部品組立後の工程で製品毎に計測した二三点の電流値と電圧値が示す一次直線（計測値Ａ又は計測値Ｂ）と、ブレーカ１の規格値から求めた基準値が示す一次直線（基準値Ｃ）との関係式としてＲＯＭ１２に記憶されている。
【００１３】
そして、ブレーカ１の使用時に、ＣＰＵ１１がＲＯＭ１２に記憶された関係式を含むプログラムを実行し、零相変流器５の出力電圧を補正するとともに、補正された出力電圧に基づいてトラッキング現象を判定する。このため、センサ８に流れた微小電流に応答してトラッキング初期の火花放電を確実に検出し、トラッキング短絡の進行を未然に防止することができる。また、零相変流器５の検出誤差を部品組立後の工程で正確に補正できるので、製品毎の判定レベルのばらつきを解消することが容易で、遮断精度の安定したトラッキングブレーカ１を能率よく製作することができる。
【００１４】
図３は記憶手段の別の実施例を示す。ここでは、判定回路６に複数のＲＯＭ１３，１４，１５と、そのうちの一つを選択するスイッチ１６とが設けられている。ＲＯＭ１３〜１５には、零相変流器５の計測値と基準値との相関情報がそれぞれ異なる関係式、関数または相関テーブルの形態で記憶されている。そして、スイッチ１６で零相変流器５の実測値に合った相関情報を選択し、これをＣＰＵ１１に提供するように構成されている。この構成によれば、スイッチ１６の操作によって零相変流器５の検出誤差をより簡単に補正できるという利点がある。
【図面の簡単な説明】
【００１５】
【図１】本発明の一実施形態を示すトラッキングブレーカの回路図である。
【図２】零相変流器の出力特性の計測値と基準値とを示す特性図である。
【図３】記憶手段の別の実施例を示す回路図である。
【図４】従来のトラッキングブレーカを示す回路図である。
【符号の説明】
【００１６】
１    トラッキングブレーカ
３    電路
５    零相変流器
６    判定回路
７    トリップコイル
８    センサ
１１    ＣＰＵ
１２〜１５    ＲＯＭ
１６    スイッチ
【図１】
2007317429.tif 000003
【図２】
2007317429.tif 000004
【図３】
2007317429.tif 000005
【図４】
2007317429.tif 000006